(57)【特許請求の範囲】
【請求項１】
記録媒体の記録面に沿って移動する移動ベースと、前記移動ベースに搭載されたピックアップ本体と、前記ピックアップ本体に設けられて前記記録面に対向する対物レンズと、前記対物レンズを通して前記記録面に光を与える光学装置とが設けられた光ピックアップ装置において、
前記ピックアップ本体の少なくとも一部が金属板で形成されて、前記金属板が、上側板部と、前記上側板部から下向きにほぼ直角に折り曲げられた、前記対物レンズの光軸方向へ延びる側板部と、前記側板部の前記記録媒体から離れる側である下側から前記ピックアップ本体の内方に向けて、前記上側板部と対向するようにほぼ直角に折り曲げられた支点片とを有しており、
前記支点片と前記移動ベースとの間に、前記ピックアップ本体の傾き支点となる支点当接部が形成されて、前記支点当接部において、前記支点片が板ばねによって前記移動ベースに押し付けられており、
前記移動ベースと前記ピックアップ本体との間に、前記ピックアップ本体を前記支点当接部を支点として傾かせる姿勢調整機構が設けられており、
前記板ばねは、基部が前記移動ベースに固定され、先部が前記上側板部と前記支点片との間に入り込んで、この先部によって前記支点片が前記移動ベースに押し付けられていることを特徴とする光ピックアップ装置。
【請求項２】
前記対物レンズが、サスペンションワイヤの自由端に支持されたレンズホルダに保持され、前記サスペンションワイヤの基端部が、前記金属板に固定されたワイヤ支持部材に固定されており、
前記サスペンションワイヤの延在方向における前記自由端の側で、前記板ばねの先部が、前記支点片、前記側板部、ならびに前記上側板部とで囲まれた空間の内部に位置している請求項１記載の光ピックアップ装置。
【請求項３】
前記支点当接部では、前記支点片と前記移動ベースの一方に支点突部が、他方に支持凹部または支持穴部が形成され、前記支点突部が前記支持凹部または前記支持穴部に押し付けられている請求項１または２記載の光ピックアップ装置。
【請求項４】
前記金属板に形成された前記側板部が、前記移動ベースの側方へ突出していない請求項１ないし３のいずれかに記載の光ピックアップ装置。
【発明の詳細な説明】
【技術分野】
【０００１】
本発明は、記録媒体の記録面に沿って移動する移動ベースに、対物レンズを有するピックアップ本体が搭載され、移動ベース上でピックアップ本体の傾き姿勢の調整を可能とした光ピックアップ装置に関する。
【背景技術】
【０００２】
ＤＶＤやＣＤまたはブルーレイ・ディスクなどの各種光ディスクを記録媒体として使用する光ピックアップ装置には、光ディスクの記録面に沿って移動する移動ベースが設けられ、この移動ベースに、記録面に対向する対物レンズを備えたピックアップ本体が搭載されている。
【０００３】
ピックアップ本体は、移動ベース上で傾き姿勢を調整できるように支持され、対物レンズの光軸と記録媒体の記録面との対向角度がなるべく垂直となるように調整できるようになっている。
【０００４】
以下の特許文献１と特許文献２に記載された光ピックアップ装置では、ピックアップ本体を構成しているピックアップベースに、対物レンズの保持部から側方に延びる側片が設けられており、この側片に下向きの突起が設けられ、移動ベースの設置面に前記突起と嵌合する穴部が形成されている。そして、側片が板ばねで下向きに付勢されて、前記突起が前記穴部に押し付けられている。
【０００５】
移動ベースには、下側から２本の調整ねじが挿入されて、それぞれの調整ねじがピックアップベースに螺着されている。２本の調整ねじを回転させることで、ピックアップ本体が前記突起と穴部との当接部を支点として傾くことができるようになっている。
【先行技術文献】
【特許文献】
【０００６】
【特許文献１】特開２００２−２７９６６５号公報
【特許文献２】特開２００４−１３９７７号公報
【発明の概要】
【発明が解決しようとする課題】
【０００７】
特許文献１と特許文献２などに記載されている従来の光ピックアップ装置は、ピックアップ本体に、対物レンズの保持部とほぼ同じ高さで側方に延び出る側片が設けられ、この側片に傾き支点となる突起が形成されている。
【０００８】
したがって、移動ベースでは、前記突起に嵌合する穴部が形成された設置面を高い位置に形成することが必要になり、移動ベースの高さ寸法が大きくなり、重量も大きくなりやすい。
【０００９】
また、ピックアップベースの側片を下向きに押し付ける板ばねが、移動ベースの上面に固定されて、記録媒体の記録面に接近する高い位置に配置されている。そのため、板ばねの板厚を厚くできず、また上下方向の撓み量を高くすることができず、板ばねの設計が難しくなる。さらに、板ばねが移動ベースの上面に露出しているため、組立作業やメンテナンス作業の際に、板ばねに不用意な外力が作用して、塑性変形するおそれもある。
【００１０】
また、前記突起と前記穴部との当接部の傾き支点と、対物レンズの光軸との距離が長く
なるため、前記支点を中心としてピックアップ本体の姿勢を傾かせるときに、対物レンズの光軸の倒れ角度に対する対物レンズの上下方向の移動量の比が大きくなる欠点がある。
【００１１】
本発明は、上記従来の課題を解決するものであり、ピックアップ本体と移動ベースとの当接部に形成される傾き支点を、対物レンズよりも下側に配置でき、且つ前記傾き支点を対物レンズに近い位置に設定することが可能な光ピックアップ装置を提供することを目的としている。
【課題を解決するための手段】
【００１２】
本発明は、記録媒体の記録面に沿って移動する移動ベースと、前記移動ベースに搭載されたピックアップ本体と、前記ピックアップ本体に設けられて前記記録面に対向する対物レンズと、前記対物レンズを通して前記記録面に光を与える光学装置とが設けられた光ピックアップ装置において、
前記ピックアップ本体の少なくとも一部が金属板で形成されて、前記金属板が、上側板部と、前記上側板部から下向きにほぼ直角に折り曲げられた、前記対物レンズの光軸方向へ延びる側板部と、前記側板部の前記記録媒体から離れる側である下側から前記ピックアップ本体の内方に向けて、前記上側板部と対向するようにほぼ直角に折り曲げられた支点片とを有しており、
前記支点片と前記移動ベースとの間に、前記ピックアップ本体の傾き支点となる支点当接部が形成されて、前記支点当接部において、前記支点片が板ばねによって前記移動ベースに押し付けられており、
前記移動ベースと前記ピックアップ本体との間に、前記ピックアップ本体を前記支点当接部を支点として傾かせる姿勢調整機構が設けられており、
前記板ばねは、基部が前記移動ベースに固定され、先部が前記上側板部と前記支点片との間に入り込んで、この先部によって前記支点片が前記移動ベースに押し付けられていることを特徴とするものである。
【００１３】
本発明の光ピックアップ装置は、ピックアップ本体の傾き支点となる支点当接部が、対物レンズよりも記録媒体から離れた下側に配置されているため、支点当接部を移動ベースの低い位置に形成でき、移動ベースを薄型化できる。また、板ばねを対物レンズよりも下側に配置できるため、板ばねの厚さや形状を自由に設定でき、上下方向の撓み量も自由に設定できるようになる。
【００１４】
また、支点当接部と対物レンズとを接近させることができるため、対物レンズの光軸の倒れ調整を行うときに、その倒れ角度に対する対物レンズの上下移動量の比を小さくすることが可能になる。
【００１６】
上記構造では、板ばねの先部が、ピックアップ本体の上板部と支点片との間の空間の内部に配置されるため、板ばねを記録媒体から離れた位置に配置でき、また組立作業やメンテナンス作業において、板ばねに指などが触れにくくなる。
なお、前記対物レンズが、サスペンションワイヤの自由端に支持されたレンズホルダに保持され、前記サスペンションワイヤの基端部が、前記金属板に固定されたワイヤ支持部材に固定されており、前記サスペンションワイヤの延在方向における前記自由端の側で、前記板ばねの先部が、前記支点片、前記側板部、ならびに前記上側板部とで囲まれた空間の内部に位置していることが好ましい。
【００１７】
本発明は、前記支点当接部では、前記支点片と前記移動ベースの一方に支点突部が、他方に支持凹部または支持穴部が形成され、前記支点突部が前記支持凹部または前記支持穴部に押し付けられているものとして構成できる。
【００１８】
また、本発明は、前記金属板に形成された前記側板部が、前記移動ベースの側方へ突出していない構造にでき、光ピックアップ装置の幅寸法も短く構成できる。
【発明の効果】
【００１９】
本発明の光ピックアップ装置は、ピックアップ本体の傾き支点となる支点当接部を、対物レンズに対して記録媒体から離れる下側に配置することができる。そのため、板ばねの設計の自由度が増し、移動ベースを薄型化できる。また板ばねに指などが触れにくくなる。さらに、対物レンズの光軸の調整角度に対する対物レンズの上下移動量を短くすることが可能である。
【図面の簡単な説明】
【００２０】
【図１】本発明の実施の形態の光ピックアップ装置の斜視図、
【図２】ピックアップ本体と板ばねおよび調整ねじを示す分解斜視図、
【図３】図１の光ピックアップ装置をＩＩＩ−ＩＩＩ線で切断した断面図、
【図４】図１の光ピックアップ装置をＩＶ−ＩＶ線で切断した断面図、
【発明を実施するための形態】
【００２１】
図１に示す光ピックアップ装置１は、ＤＶＤやＣＤまたはブルーレイ・ディスクなどの各種光ディスクに記録されたデータの再生や記録を行うディスク装置に搭載される。図１に示すＲ方向はラジアル方向であり、記録媒体である光ディスクの半径方向である。Ｔ方向はタンジェンシャル方向であり、光ディスクの接線方向である。
【００２２】
光ピックアップ装置１は、移動ベース１０を有している。移動ベース１０は、アルミニウム合金などの軽金属材料または合成樹脂材料で形成されている。
【００２３】
図１と図４に示すように、移動ベース１０の図示右側に基準軸受穴１１が開口し、図示左側に軸受凹部１２が形成されている。図４に示すように、ディスク装置には、基準ガイド軸２と駆動スクリュー軸３が互いに平行に設けられ、それぞれの軸がＲ方向に延びている。移動ベース１０の基準軸受穴１１が基準ガイド軸２にほとんど隙間が形成されないように挿通されている。軸受凹部１２が駆動スクリュー軸３の外周部に配置されている。
【００２４】
移動ベース１０の図示左側に、係合板ばね１３が設けられ、係合板ばね１３に設けられた係合突部１３ａが駆動スクリュー軸３の外周に形成されたねじ溝に摺動自在に嵌合している。駆動スクリュー軸３が回転すると、軸方向への駆動力が係合板ばね１３を介して移動ベース１０に与えられ、移動ベース１０が、基準ガイド軸２を移動基準としてＲ方向へ移動し、記録媒体である光ディスクの記録面に沿って移動する。
【００２５】
図１と図４に示すように、移動ベース１０の中央部に凹部１４が形成されており、この凹部１４に、ピックアップ本体２０が配置されている。
【００２６】
図２に示すように、ピックアップ本体２０はピックアップベース３０を有している。ピックアップベース３０は金属板を折り曲げて形成されている。ピックアップベース３０は、第１の上板部３１と第２の上板部３２が左右方向に離れて位置し、第１の上板部３１と第２の上板部３２とが、第１の側板部３３と第２の側板部３４とで連結されている。第１の側板部３３と第２の側板部３４は、第１の上板部３１と第２の上板部３２の両側部から下向きに、すなわち記録媒体である光ディスクから離れる向きにほぼ直角に折り曲げられている。
【００２７】
図１と図２に示すように、第１の上板部３１には、磁石保持片３５と対向ヨーク片３６とが互いに対向して下向きに折り曲げられている。同様に、第２の上板部３２に、磁石保持片３７と対向ヨーク片３８とが互いに対向して下向きに折り曲げられている。磁石保持片３５の対向ヨーク片３６に向く面に磁石２１が固定されており、磁石保持片３７の対向ヨーク片３８に向く面に磁石２２が固定されている。
【００２８】
ピックアップベース３０には、前記第１の側板部３３の図示左側の下部からピックアップベース３０の内方（ピックアップ本体２０の内方）に向けてほぼ直角に折り曲げられた支点片４１が一体に形成されている。また、ピックアップベース３０には、第１の側板部３３から折り曲げられた調整片４２と、第２の側板部３４から折り曲げられた調整片４３とが一体に形成されている。
【００２９】
第１の上板部３１と第２の上板部３２および支点片４１と２つの調整片４２，４３は、その表面がＴ−Ｒ平面とほぼ平行である。一方の調整片４２は、支点片４１から主にＴ方向に離れて位置しており、他方の調整片４３は、支点片４１から主にＲ方向に離れて位置している。
【００３０】
図３と図４に示すように、支点片４１は、第１の上板部３１の下側に対向している。支点片４１には、下向きの支点突部４１ａが一体に形成されている。支点突部４１ａは、支点片４１を構成する金属板を下向きにプレスして形成されたものであり、その結果、支点片４１の上面には凹部４１ｂが形成されている。支点突部４１ａは下向きの表面が球面に近似した突曲面である。
【００３１】
図２に示すように、一方の調整片４２には雌ねじ穴４２ａが形成され、他方の調整片４３に雌ねじ穴４３ａが形成されている。
【００３２】
図１と図２に示すように、前記ピックアップベース３０の第１の上板部３１と第２の上板部３２の間に、レンズホルダ２３が配置されている。レンズホルダ２３に対物レンズ２４が保持されている。対物レンズ２４の光軸Ｏは、理想的には、Ｒ方向ならびにＴ方向に対して垂直に向けられる。
【００３３】
図１と図２に示すように、ピックアップベース３０には、図示右側にワイヤ支持部材２５が固定されている。ワイヤ支持部材２５に、４本のサスペンションワイヤ２６の基端部が固定されており、サスペンションワイヤ２６は、ピックアップベース３０の第２の上板部３２の下を通って互いに平行に延びている。レンズホルダ２３は、それぞれのサスペンションワイヤ２６の自由端に支持されている。よって、レンズホルダ２３はＲ方向および光軸Ｏに沿う上下方向へ微動自在である。
【００３４】
レンズホルダ２３にはフォーカシングコイルとトラッキングコイルが設けられ、両コイルが前記磁石２１，２２に対向している。フォーカシングコイルとトラッキングコイルに対しては、４本のサスペンションワイヤ２６を通じて駆動電流が与えられる。
【００３５】
図３と図４に示すように、移動ベース１０の上面に支持面１５が形成され、この支持面１５に支持凹部１６が形成されている。支持凹部１６は断面が円形であり、下に向かうにしたがって直径が徐々に狭くなるテーパ穴である。なお、テーパ穴である支持凹部１６の代わりに、円形の断面を有してその直径が上下方向へ均一に延びる支持凹部または支持穴部が形成されていてもよい。
【００３６】
図３と図４に示すように、ピックアップ本体２０のピックアップベース３０に形成されている前記支点突部４１ａが前記支持凹部１６に嵌合して支点当接部が構成されている。なお、支点当接部では、移動ベース１０の支持面１５に上向きの支持突部が形成され、ピックアップベース３０の支点片４１に支持凹部が形成されていてもよい。
【００３７】
図１と図２ならびに図４に示すように、移動ベース１０上に板ばね４５が取り付けられている。板ばね４５は金属板で形成されており、基部４５ａに、取付けねじ４６を挿通さ
せる取付け穴４５ｂが形成されている。基部４５ａから後方へ位置決め部４５ｃが一体に延びており、位置決め部４５ｃに位置決め穴４５ｄが開口している。板ばね４５の先部４５ｅには、下向きに突出する付勢突部４５ｆが一体に形成されている。基部４５ａと先部４５ｅとの間は、弾性腕部４５ｇである。図４に示すように、弾性腕部４５ｇの中央部に折曲げ部４５ｈが形成されている。
【００３８】
図４に示すように、移動ベース１０の左側の上面に、雌ねじ穴を有する設置面１７が形成され、その左側の一段と高い位置に位置決め面１８が形成され、位置決め面１８に位置決め突起１９が一体に形成されている。板ばね４５の基部４５ａは設置面１７に設置され、位置決め部４５ｃが位置決め面１８に設置される。位置決め突起１９が位置決め穴４５ｄに嵌合して、板ばね４５が位置決めされ、取付け穴４５ｂに挿入された取付けねじ４６が、設置面１７の雌ねじ穴に螺着されて、板ばね４５の基部４５ａが移動ベース１０上に固定される。
【００３９】
図３と図４に示すように、板ばね４５の先部４５ｅがピックアップベース３０の第１の上板部３１と支点片４１との間の空間内に入り込んでおり、先部４５ｅに形成された付勢突部４５ｆが、支点片４１に形成された凹部４１ｂに上方から嵌合している。付勢突部４５ｆが凹部４１ｂに嵌合している状態では、弾性腕部４５ｇが移動ベース１０の設置面１７から上方へ持ち上げられて撓んでおり、この撓みに基づく弾性力によって、移動ベース１０の支点片４１の支点突部４１ａが移動ベース１０の支持面１５の支持凹部１６に押し付けられている。
【００４０】
図２に示すように、光ピックアップ装置１には、姿勢調整機構５０を構成する調整ねじ５１，５２が設けられている。図３に示すように、一方の調整ねじ５１は、移動ベース１０を上下に貫通する挿通穴１０ａに対して下から上向きに挿入され、調整ねじ５１の先部が、ピックアップベース３０の調整片４２に形成された雌ねじ穴４２ａに螺着されている。同様に、他方の調整ねじ５２も、移動ベース１０を上下に貫通する挿入穴へ下から上向きに挿通され、その先部が、ピックアップベース３０の調整片４３に形成された雌ねじ穴４３ａに螺着されている。
【００４１】
図４に示すように、移動ベース１０に光学装置６０が搭載されている。光学装置６０は、移動ベース１０の図示左側に配置された送受光素子６１を有している。送受光素子６１は、発光素子と受光素子とが同じ基板に実装されたものである。光学装置６０は、ピックアップ本体２０の下側に位置するレンズ６２とミラー６３を有している。送受光素子６１から発せられたレーザ光は、図３に示すように、移動ベース１０の底部に形成された光通路１０ｂを通過し、レンズ６２を透過してミラー６３で反射されて上に向けられる。このレーザ光は、対物レンズ２４で集光されて、光ディスクの記録面に与えられる。
【００４２】
前記構造の光ピックアップ装置１におけるピックアップ本体２０の姿勢調整工程を説明する。
【００４３】
光ピックアップ装置１を検査用ディスクの記録面などに対向させ、調整ねじ５１，５２を回転させて、支点突部４１ａと支持凹部１６とが当接している支点当接部を中心として、ピックアップ本体２０の傾き姿勢を調整する。
【００４４】
姿勢調整機構５０を構成する一方の調整ねじ５１を回転させると、ピックアップ本体２０がＲ軸を中心としてα方向へ回動し、対物レンズ２４の光軸Ｏのタンジェンシャル方向（Ｔ方向）への傾き角度が調整される。他方の調整ねじ５２を回転させると、ピックアップ本体２０がＴ軸を中心としてβ方向へ回動し、対物レンズ２４の光軸Ｏのラジアル方向（Ｒ方向）への傾き角度が調整される。
【００４５】
この調整により、対物レンズ２４の光軸Ｏが、光ディスクの記録面に対し、可能な限り垂直に向くように調整される。
【００４６】
前記ピックアップベース３０には、第１の側板部３３の下部からピックアップ本体２０の内側に向けてほぼ直角に折り曲げられた支点片４１が設けられ、この支点片４１に支点突部４１ａが設けられている。そのため、前記支点突部４１ａが当接するための移動ベース１０の支持面１５を、対物レンズ２４よりも十分に下側の位置、すなわち記録媒体である光ディスクから離れた位置に形成することができる。支持凹部１６を有する支持面１５を低い位置に形成できるために、移動ベース１０の高さ寸法を小さくでき、光ピックアップ装置１の薄型化と軽量化を実現しやすくなる。
【００４７】
図４に示すように、ピックアップベース３０の支点片４１が、対物レンズ２４よりも低い位置にあるため、支点片４１を下向きに押圧する板ばね４５も、対物レンズ２４から下方向へ十分に離れた位置に配置される。板ばね４５を、光ディスクの下面から下側に離れた位置に配置できるため、板ばね４５の厚さ寸法や撓み構造の設計の自由度が広がる。図４に示すように、実施の形態の板ばね４５は、弾性腕部４５ｇに折曲げ部４５ｈが形成され、折曲げ部４５ｈが上に持ち上げられた構造である。弾性腕部４５ｇを移動ベース１０の設置面１７から上方へ離すことができるため、弾性腕部４５ｇの全長で、支点片４１を下向きに押圧する弾性力を発揮させることが可能である。そのため、支点突部４１ａと支持凹部１６とを常に強い力で当接させることが可能である。
【００４８】
図４に示すように、板ばね４５は、折曲げ部４５ｈを有しているとともに、一段と高くなった位置に位置決め部１８を有して上下方向へ立体的な構造となっているが、板ばね４５の全体を対物レンズ２４よりも低い位置に配置しているため、板ばね４５やその支持構造部が光ディスクの下面に当たることはない。
【００４９】
板ばね４５が低い位置にあるため、光ピックアップ装置１の組立て作業やメンテナンス作業の際に、板ばね４５に指が触れて過大な曲げ力が与えられることを避けやすくなっている。特に、板ばね４５の先部４５ｅが、ピックアップベース３０の第１の上板部３１と第１の側板部３３ならびに支点片４１とで囲まれた空間の内部に配置されているため、指などが板ばね４５の先部４５ｅに当たりにくくなり、板ばね４５を保護しやすい構造となっている。
【００５０】
図２に示すように、ピックアップベース３０の一部がピックアップ本体２０の内側に向けて折り曲げられて支点片４１が形成されているために、支点突部４１ａと支持凹部１６とが当接した支点当接部と対物レンズ２４の光軸Ｏとの距離Ｌ１が短くなっている。
【００５１】
ピックアップ本体２０をα方向ならびにβ方向へ回動させる姿勢調整を行う際には、対物レンズ２４の中心は、支点当接部を中心とし距離Ｌ１を半径とした円運動を行う。図２に示すように、前記距離Ｌ１を短くすることで、対物レンズ２４の光軸Ｏの倒れ角度に対する対物レンズ２４の上下の移動量を短くすることができる。そのため、対物レンズ２４の光軸Ｏの傾き調整の際に、対物レンズ２４が上下に動く量が短くなる。
【００５２】
光ピックアップ装置１を動作させるときは、駆動スクリュー軸３を回転させて移動ベース１０をＲ方向へ移動させる。
【００５３】
図１に示すように、移動ベース１０のディスク内周側に向く側面１０ｃが円筒面の一部である凹曲面となっており、移動ベース１０がＲ方向へ移動して、ディスクの内周側の終端に至ると、凹状の側面１０ｃが光ディスクを回転させるスピンドルモータの外周面に接
近する。
【００５４】
図３に示すように、支点当接部を構成する支点片４１がピックアップ本体２０の内側に向けて折り曲げられているため、支点片４１が側面１０ｃからディスク中心側へ突出することがない。また、側面１０ｃを対物レンズ２４に近づけて形成することができるため、光ピックアップ装置１０のＲ方向の幅寸法を短く構成することが可能である。
【００５５】
送受光素子６１から発せられたレーザ光は、レンズ６２を通過しミラー６３で反射されて光ディスクの記録面に与えられる。記録面からの反射光は、ミラー６３とレンズ６２を経て送受光素子６１で受光される。その受光出力によって、光ディスクに記録された情報が読み取られるとともに、フォーカスエラー信号とトラッキングエラー信号が検出される。このエラー信号を補正する電流が、レンズホルダ２３に設けられたフォーカシングコイルとトラッキングコイルに与えられ、レンズホルダ２３を光軸Ｏに沿う上下方向と、Ｒ方向へ移動させて、前記エラー信号の補正が行われる。
【符号の説明】
【００５６】
１  光ピックアップ装置
２  基準ガイド軸
３  スクリュー軸
１０  移動ベース
１５  支持面
１６  支持凹部
２０  ピックアップ本体
２３  レンズホルダ
２４  対物レンズ
２６  サスペンションワイヤ
３０  ピックアップベース
３１  第１の上板部
３２  第２の上板部
３３  第１の側板部
３４  第２の側板部
４１  支点片
４１ａ  支点突部
４２，４３  調整片
４２ａ，４３ａ  雌ねじ穴
４５  板ばね
４５ａ  基部
４５ｅ  先部
４５ｆ  付勢突部
４５ｇ  弾性腕部
４６  取付けねじ
５０  姿勢調整機構
５１，５２  調整ねじ
６０  光学装置
６１  送受光素子
６２  レンズ
６３  ミラー
【図１】
0006008579.tif 000002
【図２】
0006008579.tif 000003
【図３】
0006008579.tif 000004
【図４】
0006008579.tif 000005